(57)【要約】【課題】採光や通風を行えて、小屋根裏空間内の内部環境を良好なものとすることができる小屋根裏構造を提供する。【解決手段】床２２からの高さｈが１４００ｍｍ以下となるように、天井部２５に桟状天井面部材２６が形成されると共に、この桟状天井面部材２６は、縦，横木桟材２７，２８を一定間隔を置いて直交するように組み合わせることにより、通風又は採光が可能な複数の開口部２９…が形成されている。この天井部２５よりも上方の縦壁１９には、窓部３０が設けられていて、スイッチ３４により、小屋根裏空間２３から開閉可能としている。【選択図】図１
2004270335.tif 000002
【特許請求の範囲】
【請求項１】
床からの高さが１４００ｍｍ以下となるように、天井部が形成されると共に、該天井部の少なくとも一部には、通風又は採光が可能な開口部を有して、該天井部よりも上方の壁又は屋根に、窓部が設けられていることを特徴とする小屋根裏構造。
【請求項２】
前記開口部は、一定間隔を置いて並設された桟材によって、天井面を構成する桟状天井面部材に形成されていることを特徴とする請求項１記載の小屋根裏構造。
【請求項３】
前記窓部は、垂直な窓パネル面を有していることを特徴とする請求項１又は２記載の小屋根裏構造。
【請求項４】
前記窓部は、前記天井部下方の小屋根裏空間内から開閉可能となるように構成されていることを特徴とする請求項１乃至３のうちいずれか一項記載の小屋根裏構造。
【発明の詳細な説明】
【０００１】
【発明の属する技術分野】
この発明は、小屋根裏空間の内部環境を良好なものとする小屋根裏構造に関するものである。
【０００２】
【従来の技術】
一般的に、図５に示す様な建物１に小屋根裏構造を設けたものが知られている（例えば、特許文献１参照）。
【０００３】
このようなものでは、建物１内に設けられる小屋根裏物置２と、上階３の床部４とが、段差ｄを有するスキップフロアの関係に構成されている。
【０００４】
そして、小屋根裏物置２の床面積が、上階３の床部４の床面積の１／８以下であると共に天井５の高さｈが、１．４ｍ以下となるように構成されている。
【０００５】
このように構成された従来の小屋根裏構造では、小屋根裏物置２の床面積を、下階に相当する上階３の床部４の床面積の１／８以下であると共に、天井５の最高高さｈを１．４ｍ以下とすること等、一定の条件を満たす場合に、小屋根裏空間を階と見なさないという緩和措置が適用される。
【０００６】
【特許文献１】
特開２００２−１４７０３２号公報
【０００７】
【発明が解決しようとする課題】
このような従来の小屋根裏構造では、緩和措置の適用を受けるため、構造的には、天井の高さｈを１．４ｍ超とできる場合であっても、１．４ｍ以下の天井高が設定されている。
【０００８】
しかしながら、このような天井５の高さｈで、天井５が形成されると、この天井５の更に上方に窓等を設けて、採光や通風を確保することができない。
【０００９】
そこで、この発明は、採光や通風を行えて、小屋根裏空間内の内部環境を良好なものとすることができる小屋根裏構造を提供することを目的としている。
【００１０】
【課題を解決するための手段】
上記目的を達成するために、請求項１に記載された発明では、床からの高さが１４００ｍｍ以下となるように、天井部が形成されると共に、該天井部の少なくとも一部には、通風又は採光が可能な開口部を有して、該天井部よりも上方の壁又は屋根に、窓部が設けられている小屋根裏構造を特徴としている。
【００１１】
このように構成された請求項１記載のものでは、前記天井部よりも上方の壁又は屋根に設けられた窓部からの通風又は採光が、前記天井部に形成された開口部を介して、前記小屋根裏空間内に到達する。
【００１２】
このため、緩和措置の基準を満たしつつ、小屋根裏空間の内部環境を良好なものとすることが出来る。
【００１３】
また、請求項２に記載されたものでは、前記開口部は、一定間隔を置いて並設された桟材によって、天井面を構成する桟状天井面部材に形成されている請求項１記載の小屋根裏構造を特徴としている。
【００１４】
このように構成された請求項２記載のものでは、一定間隔を置いて並設された桟材間の間隙を用いて、複数の開口部を容易に形成することができる。
【００１５】
更に、請求項３に記載されたものでは、前記窓部は、垂直な窓パネル面を有している請求項１又は２記載の小屋根裏構造を特徴としている。
【００１６】
このように構成された請求項３記載のものでは、前記窓部が、垂直な窓パネル面を有しているので、天窓に比して、防水施工が容易で、汎用性を有する一般的な窓部材を使用出来て、コストの増大を抑制できる。
【００１７】
また、請求項４に記載されたものでは、前記窓部は、前記天井部下方の小屋根裏空間内から開閉可能となるように構成されている請求項１乃至３のうちいずれか一項記載の小屋根裏構造を特徴としている。
【００１８】
ここで、小屋根裏空間内から開閉可能とは、窓部を開閉塞するモータ等の駆動を、前記天井部下方の小屋根裏空間内に設置されたスイッチにより行う電動遠隔操作手段や、ロッド及びチェーン等の下端を前記天井部下方の小屋根裏空間内に臨ませて、窓部の開閉塞を機械的連動によって行う遠隔操作手段等を用いて、窓部の開閉を行えることである。
【００１９】
このように構成された請求項４記載のものでは、前記窓部が、前記天井部下方の小屋根裏空間内から開閉可能であるので、小屋根裏内空間の環境に応じて、前記窓部を容易に開閉塞して、良好な内部環境を得ることが出来る。従って、使用利便性が良好である。
【００２０】
【発明の実施の形態１】
次に、図面に基づいてこの発明の実施の形態１の小屋根裏構造を説明する。
【００２１】
図１乃至図４は、この発明の実施の形態１の小屋根裏構造を示す図である。
【００２２】
なお、前記従来例と同一乃至均等な部分については、同一符号を付して説明する。
【００２３】
まず、構成を説明すると、この実施の形態１の建物としてのユニット住宅１０は、基礎１１と、基礎１１上に載置されて１階部分を構成する複数の建物ユニットとしての１階居室ユニット１２，１２と、２階部分を構成する２階居室ユニット１３，１３と、この２階居室ユニット１３，１３の上部に載置されて、隣接して組み合わせられることにより、段違い屋根形状の屋根部１５を構成する小屋根裏屋根ユニット１６，差し掛け屋根ユニット１７及び、この小屋根裏屋根ユニット１６を挟んで、差し掛け屋根ユニット１７の反対側に載置される軒先側屋根ユニット１８等とによって主に構成されている。
【００２４】
このうち、前記小屋根裏屋根ユニット１６は、ユニット住宅１０妻方向略中央部に載置されて装着されるように構成されている。
【００２５】
この小屋根裏屋根ユニット１６は、前記差し掛け屋根ユニット１７側に設けられて、上下方向及び、このユニット住宅１０の棟方向に延設方向を沿わせる縦壁１９の上端１９ａを大屋根２０の上端縁と接合することにより、棟部２１が形成されている。
【００２６】
また、この実施の形態１では、この第１の屋根ユニット１６の内部には、床２２を有する小屋裏空間２３が形成されている。この床２２の周縁には、手摺部材２４が設けられている。
【００２７】
そして、この小屋根裏空間２３には、前記床２２からの高さｈが１４００ｍｍ以下となるように、桟状天井面部材２６から主に構成される天井部２５が形成されている。
【００２８】
この天井部２５の桟状天井面部材２６は、天井部２５の天井面を構成するもので、図４に示すように、一定間隔ｐを置いて並設された複数の桟材としての縦木桟材２７…を、直交する方向に一定間隔を置いて並設される複数の桟材としての縦木桟材２８…と交差させて組み合わせ、図１に示すように、一枚の略方形面状を呈する格子面体状を呈している。
【００２９】
この実施の形態１では、前記縦，横木桟材２７，２８が、高さａをａ＝５０ｍｍ，幅ｂをｂ＝２５ｍｍとする無垢材を用いて構成されている。
【００３０】
また、これらの各縦，横木桟材２７，２７及び２８，２８によって囲まれた略方形状の間隙は、この桟状天井面部材２６の面内外方向に連通されて、通風又は採光が可能な開口部２９…が、面延設方向に略均等に形成されている。
【００３１】
この開口部２９の大きさは、前記縦，横木桟材２７，２７及び２８，２８間の並設ピッチｐをｐ＝１１０ｍｍ以下とすることにより、開口部２９内に人の頭が挿入不能となるように構成されている。
【００３２】
そして、この桟状天井面部材２６が、小屋根裏空間２３の下側から見て、前記棟部２１を覆うように、床２２上面からの高さｈが、１４００ｍｍの位置で、上部略全面に水平に固定装着されている。
【００３３】
更に、この天井部２５の桟状天井面部材２６よりも上方の前記縦壁１９には、窓部３０が設けられている。
【００３４】
この窓部３０には、垂直な窓パネル面３０ａがサッシ枠体３０ｂに嵌設されて設けられていて、上部を軸として回転し、開閉可能となるように構成されている。
【００３５】
そして、この窓パネル面３０ａは、その上部に設けられたモータ３２の駆動により、回転して、この開口部３０ｃを開閉塞するように構成されている。
【００３６】
このモータ３２は、縦壁内配線３３を介して、天井部２５下方の小屋根裏空間２３内に設置されたスイッチ３４に接続されていて、このスイッチ３４の切り換え操作に応じて、前記窓パネル面３０ａが駆動されて、前記窓部３０が、前記天井部２５下方の小屋根裏空間２３内から開閉可能となるように構成されている。
【００３７】
次に、この実施の形態１の小屋根裏構造の作用について説明する。
【００３８】
この実施の形態１では、前記天井部２５よりも上方の縦壁１９に設けられた窓部３０からの通風又は採光が、前記天井部２５の桟状天井面部材２６に形成された複数の開口部２９を介して、前記小屋根裏空間２３内に到達する。
【００３９】
このため、緩和措置の基準を満たしつつ、小屋根裏空間２３の内部環境を良好なものとすることが出来る。
【００４０】
また、前記桟状天井面部材２６によって、一定間隔を置いて並設された縦，横木桟材２７，２８間の間隙を用いて、複数の開口部２９…が、天井部２５の全面に均等となるように容易に形成される。
【００４１】
このため、施工性が良好である。
【００４２】
更に、前記窓部３０が、垂直な窓パネル面３０ａを有しているので、例えば、図１に示すような天窓３１に比して、防水施工が容易で、汎用性を有する一般的な窓部材を使用出来る。このため、コストの増大を抑制できる。
【００４３】
また、前記天井部２５下方の小屋根裏空間２３内に設置されたスイッチ３４を切り換え操作すると、このスイッチ３４に接続されたモータ３２が駆動して、切り換え操作に応じて、前記窓パネル面３０ａを回転させて、開閉できる。
【００４４】
このように、前記窓部３０が、前記天井部２５下方の小屋根裏空間２３内から開閉可能であるので、小屋根裏内空間２３の温度、湿度等の環境に応じて、前記窓部３０を容易に開閉塞して、良好な内部環境を得ることが出来る。従って、使用利便性が良好である。
【００４５】
更に、この実施の形態１では、天井部２５を構成する桟状天井面部材２６に複数の開口部２９…が設けられているので、前記窓部３０の位置や、或いはユニット住宅１０の方角に応じて、これらの開口部２９…のうち幾つかを適宜塞いだり、光を透過する和紙等を貼設して、間接光とする等、調整を容易に行うことができる。
【００４６】
以上、図面を参照して、本発明の実施の形態１を詳述してきたが、具体的な構成は、これらの実施の形態１に限らず、本発明の要旨を逸脱しない程度の設計的変更は、本発明に含まれる。
【００４７】
例えば、実施の形態１では、前記天井部２５の桟状天井面部材２６が、縦，横木桟材２７…，２８…を、直交する方向に組み合わせて、一枚の略方形面状を呈する格子面体状とすることにより、複数の開口部２９…を構成しているが、特にこれに限らず、天井部の少なくとも一部に、通風又は採光が可能な開口部を有しているものであるならば、どの様な形状、材質、開口部の数量の天井部であってもよい。
【００４８】
また、この実施の形態１では、前記縦，横木桟材２７，２８が、高さａ＝５０ｍｍ，幅２５ｍｍの無垢材を用いて構成されているが、特にこれに限らず、集成材（インシュレーションボード、ＭＤＦ、ハードボードを含む）をそのまま或いは、これらの周囲をシート巻き仕上げや、突板仕上げしたものを組み合わせてもよく、組み合わせも実施の形態１のように直交するもののみではなく、縦横のうち、一方方向のみに並設して、柵状としたものであってもよい。
【００４９】
更に、前記実施の形態１では、小屋根裏空間２３内から、窓部３０を開閉可能するため、スイッチ及びモータ等からなる電動遠隔操作手段を用いているが、特にこれに限らず、例えば、ロッド及びチェーン等の下端を前記天井部下方の小屋根裏空間内に臨ませて、窓部の開閉塞を機械的連動によって行う遠隔操作手段等を用いて、窓部の開閉を行えるように構成してもよい。
【００５０】
更に、この実施の形態１では、窓部３０が、上部を軸に回転可能となる垂直な窓パネル面３０ａによって構成されているが、特にこれに限らず、例えば、ウイング窓や、引き違い窓、上，下上げ下げ窓や、滑り出し窓等、どの様な形状の窓であってもよく、天井部２５の桟状天井面部材２６よりも上方の前記縦壁１９又は、大屋根２０に設けられる等のもので有るならば、取付位置や開閉方向が限定されるものではない。
【００５１】
【発明の効果】
以上説明してきたように、この発明の請求項１に記載されたものによれば、前記天井部よりも上方の壁又は屋根に設けられた窓部からの通風又は採光が、前記天井部に形成された開口部を介して、前記小屋根裏空間内に到達する。
【００５２】
このため、緩和措置の基準を満たしつつ、小屋根裏空間の内部環境を良好なものとすることが出来る。
【００５３】
また、請求項２に記載されたものでは、一定間隔を置いて並設された桟材間の間隙を用いて、複数の開口部を容易に形成することができる。
【００５４】
更に、請求項３に記載されたものでは、前記窓部が、垂直な窓パネル面を有しているので、天窓に比して、防水施工が容易で、汎用性を有する一般的な窓部材を使用出来て、コストの増大を抑制できる。
【００５５】
また、請求項４に記載されたものでは、前記窓部が、前記天井部下方の小屋根裏空間内から開閉可能であるので、小屋根裏内空間の環境に応じて、前記窓部を容易に開閉塞して、良好な内部環境を得ることが出来る。従って、使用利便性が良好である、という実用上有益な効果を発揮する。
【図面の簡単な説明】
【図１】この発明の実施の形態１に係る小屋根裏構造を示す断面斜視図である。
【図２】実施の形態１の小屋根裏構造を示し、ユニット住宅の側面図である。
【図３】実施の形態１の小屋根裏構造で、全体の構成を示すユニット住宅の縦断面図である。
【図４】実施の形態１の小屋根裏構造の天井部に用いられる桟状天井面部材の構成を説明する断面図である。
【図５】従来例の建物の構成を説明する縦断面図である。
【符号の説明】
１０            ユニット住宅
１５            屋根部
１６            小屋根裏屋根ユニット
１９            縦壁（壁）
２３            小屋根裏空間
２５            天井部
２６            桟状天井面部材
桟材
２７            縦木桟材
２８            横木桟材
２９            開口部
３０            窓部
３０ａ          窓パネル面
【図１】
2004270335.tif 000003
【図２】
2004270335.tif 000004
【図３】
2004270335.tif 000005
【図４】
2004270335.tif 000006
【図５】
2004270335.tif 000007